(57)【要約】取っ手と、取っ手と結合し、一方向に延設される誘導管と、誘導管から延設され、一方向において、誘導管の延長線上から所定間隔離隔されるように形成されたオフセット部と、を含む大腿トンネル誘導機である。【選択図】図１
2019530515.tif 000002
【特許請求の範囲】
【請求項１】
取っ手と、
前記取っ手と結合し、一方向に延設される誘導管と、
前記誘導管から延設され、前記一方向において、前記誘導管の延長線上から所定間隔離隔されるように形成されたオフセット部と、を含む大腿トンネル誘導機。
【請求項２】
前記所定間隔は、８ｍｍ以上１５ｍｍ以下であることを特徴とする請求項１に記載の大腿トンネル誘導機。
【請求項３】
前記大腿トンネル誘導機は、
前記大腿トンネル誘導機が、硬骨トンネルを介して大腿骨に挿入された状態で、前記誘導管を貫通した誘導ピンが、前方十字靭帯の解剖学的位置に位置するように形成されることを特徴とする請求項１または２に記載の大腿トンネル誘導機。
【請求項４】
前記大腿トンネル誘導機は、
前記大腿トンネル誘導機が、前記硬骨トンネルを通過した状態で、前記大腿トンネル誘導機を一定程度回転させることにより、前記誘導ピンが、前方十字靭帯の解剖学的位置に位置するように形成されることを特徴とする請求項３に記載の大腿トンネル誘導機。
【請求項５】
前記オフセット部は、
前記誘導管から延設された連結部と、
前記連結部から延設され、前記誘導管と実質的に平行に形成される舌状部と、を含むことを特徴とする請求項１に記載の大腿トンネル誘導機。
【請求項６】
取っ手と、
前記取っ手と結合し、一方向に延設される誘導管と、
前記誘導管の一端部に形成され、前記一方向において、前記誘導管の延長線上からの離隔距離が変更可能であるように形成されるオフセット部と、
前記オフセット部と連結され、前記オフセット部と前記誘導管との離隔距離を制御するオフセット制御部と、を含む大腿トンネル誘導機。
【請求項７】
前記オフセット部と前記誘導管との離隔距離は、８ｍｍ以上１５ｍｍ以下に制御されることを特徴とする請求項６に記載の大腿トンネル誘導機。
【請求項８】
前記大腿トンネル誘導機は、
前記大腿トンネル誘導機が、硬骨トンネルを介して大腿骨に挿入された状態で、前記誘導管を貫通した誘導ピンが、前方十字靭帯の解剖学的位置に位置するように形成されることを特徴とする請求項６または７に記載の大腿トンネル誘導機。
【請求項９】
前記大腿トンネル誘導機は、
前記大腿トンネル誘導機が、前記硬骨トンネルを通過した状態で、前記大腿トンネル誘導機を一定程度回転させることにより、前記誘導ピンが、前方十字靭帯の解剖学的位置に位置するように形成されることを特徴とする請求項８に記載の大腿トンネル誘導機。
【請求項１０】
前記オフセット部は、
前記誘導管から延設された連結部と、
前記連結部の一端部に形成される舌状部ベースと、
前記誘導管に対して引き入れられたり引き出されたりするガイド部と、
前記舌状部ベースと前記ガイド部とを連結する１以上のリンクと、を含むことを特徴とする請求項６に記載の大腿トンネル誘導機。
【請求項１１】
前記連結部、前記ガイド部、前記１以上のリンク、及び前記舌状部ベースは、４節リンクを形成することを特徴とする請求項１０に記載の大腿トンネル誘導機。
【請求項１２】
前記オフセット制御部を調節すれば、前記ガイド部が、前記誘導管に対して引き入れられたり引き出されたりしながら、前記誘導管と前記オフセット部との離隔距離が変更されることを特徴とする請求項１０に記載の大腿トンネル誘導機。
【発明の詳細な説明】
【技術分野】
【０００１】
本発明は、大腿トンネル誘導機に係り、さらに詳細には、前方十字靭帯再建術に使用される大腿トンネル形成のための大腿トンネル誘導機に関する。
【背景技術】
【０００２】
スポーツ活動及び余暇活動の増加により、十字靭帯損傷患者が続けて増加している状況であり、それを治療するための前方十字靭帯再建術は、整形外科領域で多く施行されている手術のうち一つである。
姑息的前方十字靭帯再建術は、解剖学的位置ではない等尺点（ｉｓｏｍｅｔｒｉｃ  ｐｏｉｎｔ）部位に新たな靭帯を再建する方法であり、成功率は８０％ほどと知られているが、回転不安定性に対して、制限（ｃｏｎｓｔｒａｉｎｔ）役割を行えないという問題点が存在すると知られている。従って、最近では、本来の前方十字靭帯（ｎａｔｉｖｅ  ＡＣＬ（ａｎｔｅｒｉｏｒ  ｃｒｕｃｉａｔｅ  ｌｉｇａｍｅｎｔ）を再建するために、解剖学的位置（すなわち、前方十字靭帯が、正常の人体において、骨に付着される位置）に、前方十字靭帯を再建する概念に関心が高まっている。
【発明の概要】
【発明が解決しようとする課題】
【０００３】
本発明が解決しようとする課題は、前方十字靭帯再建術時、硬骨トンネルを介する方法で、解剖学的位置に、大腿トンネルを形成する大腿トンネル誘導機を提供することである。
【課題を解決するための手段】
【０００４】
本発明の一実施形態は、取っ手と、前記取っ手と結合し、一方向に延設される誘導管と、前記誘導管から延設され、前記一方向において、前記誘導管の延長線上から所定間隔離隔されるように形成されたオフセット部と、を含む大腿トンネル誘導機を開示する。
【０００５】
本実施形態において、前記所定間隔は、８ｍｍ以上１５ｍｍ以下でもある。
【０００６】
本実施形態において、前記大腿トンネル誘導機は、前記大腿トンネル誘導機が、硬骨トンネルを介して大腿骨に挿入された状態で、前記誘導管を貫通した誘導ピンが、前方十字靭帯の解剖学的位置に位置するようにも形成される。
【０００７】
本実施形態において、前記大腿トンネル誘導機は、前記大腿トンネル誘導機が、前記硬骨トンネルを通過した状態で、前記大腿トンネル誘導機を一定程度回転させることにより、前記誘導ピンが、前方十字靭帯の解剖学的位置に位置するようにも形成される。
【０００８】
本実施形態において、前記オフセット部は、前記誘導管から延設された連結部と、前記連結部から延設され、前記誘導管と実質的に平行に形成される舌状部と、を含んでもよい。
【０００９】
本発明の他の実施形態は、取っ手と、前記取っ手と結合し、一方向に延設される誘導管と、前記誘導管の一端部に形成され、前記一方向において、前記誘導管の延長線上からの離隔距離が変更可能であるように形成されるオフセット部と、前記オフセット部と連結され、前記オフセット部と前記誘導管との離隔距離を制御するオフセット制御部と、を含む大腿トンネル誘導機を開示する。
【００１０】
本実施形態において、前記オフセット部と前記誘導管との離隔距離は、８ｍｍ以上１５ｍｍ以下にも制御される。
【００１１】
本実施形態において、前記大腿トンネル誘導機は、前記大腿トンネル誘導機が、硬骨トンネルを介して大腿骨に挿入された状態で、前記誘導管を貫通した誘導ピンが、前方十字靭帯の解剖学的位置に位置するようにも形成される。
【００１２】
本実施形態において、前記大腿トンネル誘導機は、前記大腿トンネル誘導機が、前記硬骨トンネルを通過した状態で、前記大腿トンネル誘導機を一定程度回転させることにより、前記誘導ピンが、前方十字靭帯の解剖学的位置に位置するようにも形成される。
【００１３】
本実施形態において、前記オフセット部は、前記誘導管から延設された連結部と、前記連結部の一端部に形成される舌状部ベースと、前記誘導管に対して引き入れられたり引き出されたりするガイド部と、前記舌状部ベースと前記ガイド部とを連結する１以上のリンクと、を含んでもよい。
【００１４】
本実施形態において、前記連結部、前記ガイド部、前記１以上のリンク、及び前記舌状部ベースは、４節リンクを形成することができる。
【００１５】
本実施形態において、前記オフセット制御部を調節すれば、前記ガイド部が、前記誘導管に対して引き入れられたり引き出されたりしながら、前記誘導管と前記オフセット部との離隔距離が変更される。
【００１６】
前述のところ以外の他の側面、特徴、利点は、以下の図面、特許請求の範囲、及び発明の詳細な説明から明確になるであろう。
【発明の効果】
【００１７】
本発明の大腿トンネル誘導機により、経硬骨方法を利用した前方十字靭帯の解剖学的再建が容易になり、他の手術法に比べ、手術時間が短く、手術技術が容易であり、また解剖学的位置にトンネルを形成することができ、患者にも良好な臨床結果をもたらす効果を得ることができる。
【図面の簡単な説明】
【００１８】
【図１】本発明の一実施形態による大腿トンネル誘導機の側面図である。
【図２】図１の大腿トンネル誘導機を利用し、十字靭帯再建術を遂行する過程に係わる概念図である。
【図３】図１の大腿トンネル誘導機を利用し、十字靭帯再建術を遂行する過程において、大腿トンネル誘導機を回転させて誘導ピンを解剖学的位置に位置させる過程を示す図面である。
【図４】図１の大腿トンネル誘導機を利用し、十字靭帯再建術を遂行する過程において、大腿トンネル誘導機を回転させて誘導ピンを解剖学的位置に位置させる過程を示す図面である。
【図５】本発明の他の一実施形態による大腿トンネル誘導機の側面図である。
【発明を実施するための形態】
【００１９】
本発明は、多様な変換を加えることができ、さまざまな実施形態を有することができるが、特定実施形態を図面に例示し、詳細に説明する。本発明の効果、特徴、及びそれらを達成する方法は、図面と共に詳細に説明する実施形態を参照すれば、明確になるであろう。しかし、本発明は、以下で開示される実施形態に限定されるものではなく、多様な形態にも具現されるのである。以下の実施形態において、第１、第２のような用語は、限定的な意味ではなく、１つの構成要素を他の構成要素と区別する目的に使用される。また、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性を事前に排除するものではない。また、図面においては、説明の便宜のために、構成要素がその大きさが誇張されていたり縮小されていたりする。例えば、図面に示された各構成の大きさ及び厚みは、説明の便宜のために任意に示されているので、本発明は、必ずしも図示されたところに限定されるものではない。
【００２０】
以下、添付された図面を参照し、本発明の実施形態について詳細に説明するが、図面を参照して説明するとき、同一であるか、あるいは対応する構成要素は、同一図面符号を付し、それについての重複説明は、省略する。
【００２１】
図１は、本発明の一実施形態による大腿トンネル誘導機の側面図であり、図２は、図１の大腿トンネル誘導機を利用し、十字靭帯再建術を遂行する過程に係わる概念図である。そして、図３及び図４は、図１の大腿トンネル誘導機を利用し、十字靭帯再建術を遂行する過程において、大腿トンネル誘導機を回転させて誘導ピンを解剖学的位置に位置させる過程を示す図面である。
【００２２】
まず、図１及び図２を参照すれば、本発明の一実施形態による大腿トンネル誘導機１００は、取っ手１１０、誘導管１２０及びオフセット（ｏｆｆｓｅｔ）部１３０を含む。それらについて、さらに詳細に説明すれば、次の通りである。
【００２３】
最近、本来の前方十字靭帯（ｎａｔｉｖｅ  ＡＣＬ（ａｎｔｅｒｉｏｒ  ｃｒｕｃｉａｔｅ  ｌｉｇａｍｅｎｔ）を再建するために、解剖学的位置に、前方十字靭帯を再建する概念に対して関心が高まっており、多様な手術方法が紹介されている。すなわち、姑息的前方十字靭帯再建術は、解剖学的位置ではない等尺点（ｉｓｏｍｅｔｒｉｃ  ｐｏｉｎｔ）部位に新たな靭帯を再建する方法であり、トンネルが、解剖学的位置より前上方に位置する場合が多く、解剖学的位置具現が容易ではないという短所がある。その場合、成功率が８０％ほどであると知られているが、回転不安定性に対して制限（ｃｏｎｓｔｒａｉｎｔ）役割を行うことができないという問題点が存在するとのことである。
【００２４】
従って、既存の姑息手術技術に使用された経硬骨トンネルを通過して使用される大腿トンネル誘導機（すなわち、７ｍｍ固定オフセットなど）は、その効用性に多くの疑問が提起されている。最近では、本来の前方十字靭帯（ｎａｔｉｖｅ  ＡＣＬ）を再建するために、解剖学的位置に、前方十字靭帯を再建する概念に対して関心が高まっている。
【００２５】
硬骨トンネルの場合、解剖学的位置にトンネル形成を行うための手術方法及び器具について意見が一致しているが、大腿トンネルの場合、解剖学的位置にトンネル形成を行うために付加的前内側挿入口を利用する方法、二重切開ｏｕｔｓｉｄｅ−ｉｎ方法、経硬骨方法のような多様な方法が使用されている。そのうち、付加的前内側挿入口を利用する方法は、膝を過度に屈曲させた状態で、トンネルを形成する方法であり、視野が良好ではなく、後方皮質骨が破壊される可能性が高いという短所がある。一方、二重切開ｏｕｔｓｉｄｅ−ｉｎ方法は、比較的過度な屈曲なしに、解剖学的位置にトンネルを形成することができるが、大腿部位にさらなる切開が必要であるという短所がある。すなわち、付加的前内側挿入口を利用する方法と、二重切開ｏｕｔｓｉｄｅ−ｉｎ方法は、手術方法が容易ではなく、さらなる切開、及び合併症発生の可能性が高いという短所が存在する。
【００２６】
また、既存の経硬骨方法で大腿トンネルを形成するとき、大腿トンネルが前上方に位置する場合が多くなり、誘導機に内回転を与え、解剖学的位置に到達可能になるが、既存に使用された７ｍｍオフセットの大腿トンネル誘導機では、内回転を行っても、後方大腿皮質からの距離が７ｍｍに限定され、さらに大きいオフセットが要求される解剖学的位置に到逹することが不可能であるという問題点が存在した。
【００２７】
そのような問題点を解決するために、本発明の一実施形態による硬骨トンネル誘導機は、およそ１０ｍｍ前後のオフセットを有するように形成され、大腿トンネルの形成時、解剖学的位置に、大腿トンネル形成を容易にすることを一特徴にするが、以下では、それに対ついてさらに説明する。
【００２８】
再び、図１及び図２を参照すれば、大腿トンネル誘導機１００は、取っ手１１０、誘導管１２０及びオフセット部１３０を含む。
【００２９】
取っ手１１０は、ユーザが把持することができるように、多様な形状及び大きさにも形成される。
【００３０】
誘導管１２０は、中空の管状に形成され、取っ手１１０の一側に、取っ手１１０と連結されるように形成され、第１方向（図面のＸ軸方向）に延設される。誘導管１２０の一端部は、取っ手１１０と連結され、誘導管１２０の他端部には、オフセット部１３０が形成される。そのような誘導管１２０は、図２に図示されているように、硬骨トンネル内に挿通されるように、硬骨トンネルより薄く形成され、硬骨トンネル内に挿通された状態で回転可能になるようにも形成される。そして、そのような誘導管１２０を貫通し、誘導ピン１４０が挿入される。
【００３１】
オフセット部１３０は、誘導管１２０の他端部から延設され、前記一方向（すなわち、Ｘ軸方向）において、誘導管１２０の延長線上から所定間隔離隔されるように形成される。ここで、オフセット部１３０は、誘導管１２０から延設される連結部１３２、及び連結部１３２の一端部に形成される舌状部（ｔｏｎｇｕｅ）１３１を含む。このとき、舌状部１３１は、ほぼ誘導管１２０と平行に形成され、従って、舌状部１３１は、Ｘ軸方向において、誘導管１２０の延長線上から所定間隔離隔されるように形成されるのである。それについて、さらに詳細に説明すれば、次の通りである。
【００３２】
大腿トンネル誘導機１００は、すでに形成された硬骨トンネル３１１を通過し、大腿骨３２０切痕部位の後方皮質骨表面を基準に、大腿トンネルの位置を決定する。詳細には、既存の経硬骨方法で大腿トンネルを形成する場合、該大腿トンネルが前上方に位置する場合が多くなり、大腿トンネル誘導機に内回転を与える方法などにより、誘導ピンをできるだけ解剖学的位置に近いように位置させようと努める。しかし、従来のように、等尺点部位に、大腿トンネルを形成するために使用された大腿トンネル誘導機の場合、誘導管とオフセット部とが７ｍｍまたはそれ以下ほど離隔されており、回転後にも、後方皮質骨表面からの距離がまだ短いという問題が残存し、誘導ピンが解剖学的位置に到逹するが容易ではないという問題点が存在した。
【００３３】
そのような問題点を解決するために、本発明の一実施形態による大腿トンネル誘導機１００は、オフセット部１３０の舌状部１３１が、誘導管１２０の延長線上から所定間隔ｄ、すなわち８ｍｍ以上１５ｍｍ以下ほど離隔されて形成させることにより、大腿トンネル誘導機１００が、硬骨トンネル３１１を介して、大腿骨３２０に挿入された状態で、誘導ピン１４０が、前方十字靭帯の解剖学的位置に位置するように形成されることを特徴とする。
さらに詳細には、図３に図示されているように、大腿トンネル誘導機１００が、硬骨トンネル３１１を通過した状態で、図４に図示されているように、大腿トンネル誘導機１００が矢印方向に一定程度回転されることにより、誘導ピン１４０を前方十字靭帯の解剖学的位置に位置させるのである。
このとき、前方十字靭帯の解剖学的位置の一般的な場合を考慮すれば、オフセット部１３０の舌状部１３１が、誘導管１２０の延長線上から、およそ１０ｍｍ離隔されて形成されることが最も望ましいのである。
【００３４】
そのような本発明の実施形態についての大腿トンネル誘導機により、経硬骨方法を利用した前方十字靭帯の解剖学的再建が容易になり、他の手術法に比べ、手術時間が短く、手術技術が容易であり、また解剖学的位置にトンネルを形成することができ、患者にも良好な臨床結果をもたらす効果を得ることができる。
【００３５】
以下では、本発明の他の一実施形態による大腿トンネル誘導機について説明する。
【００３６】
図５は、本発明の他の一実施形態による大腿トンネル誘導機の側面図である。
【００３７】
図５を参照すれば、本発明の他の一実施形態による大腿トンネル誘導機２００は、取っ手２１０、誘導管２２０、オフセット部２３０及びオフセット制御部２４０を含む。それについて、さらに詳細に説明すれば、次の通りである。
【００３８】
前述のように、本発明の一実施形態による大腿トンネル誘導機は、解剖学的位置に大腿トンネルを形成するためのものである。しかし、全ての患者が、同じ位置に前方十字靭帯取付部を有するものではなく、患者別に、さらに正確な解剖学的位置に、大腿トンネルを形成するためには、多様なオフセットを有した大腿トンネル誘導機が要求された。
【００３９】
そのために、本発明の他の一実施形態による大腿トンネル誘導機２００は、誘導管２２０からの離隔距離が調節可能であるオフセット部２３０、及び誘導管２２０とオフセット部２３０との離隔距離を調節するためのオフセット制御部２４０を具備し、患者別に、さらに正確な解剖学的位置に、大腿トンネルを形成するように、手術の視野から、オフセット調整が可能である稼動型オフセット大腿トンネル誘導機を提供することを一特徴とする。
【００４０】
取っ手２１０は、ユーザが把持することができるように、多様な形状及び大きさにも形成される。
【００４１】
誘導管２２０は、中空の管状に形成され、取っ手２１０の一側に、取っ手２１０と連結されるように形成され、第１方向（図面のＸ軸方向）に延設される。誘導管２２０の一端部には、取っ手２１０及びオフセット制御部２４０が形成され、誘導管２２０の他端部には、オフセット部２３０が形成される。そのようなオフセット部２３０は、硬骨トンネル内に挿通されるように、硬骨トンネルより薄く形成され、硬骨トンネル内に挿通された状態で回転可能になるようにも形成される。
【００４２】
オフセット部２３０は、誘導管２２０の他端部から延設され、前記一方向（すなわち、Ｘ軸方向）において、誘導管２２０の延長線上から所定間隔離隔されるように形成される。ここで、本発明の他の一実施形態による大腿トンネル誘導機２００は、オフセット部２３０と誘導管２２０との離隔距離が変更可能であるように形成されることを一特徴とする。
【００４３】
そのために、オフセット部２３０は、誘導管２２０から延設される連結部２３１、連結部２３１の一端部に形成される舌状部ベース２３２、舌状部ベース２３２の一端部に形成される舌状部２３６を含む。このとき、舌状部ベース２３２及び舌状部２３６は、ほぼ誘導管２２０と平行に形成され、従って、舌状部２３６は、Ｘ軸方向において、誘導管２２０の延長線上から所定間隔離隔されるように形成されるのである。一方、オフセット部２３０は、誘導管２２０に対して引き入れられたり引き出されたりするガイド部２３３、及び舌状部ベース２３２とガイド部２３３とを連結する１以上のリンク２３４，２３５をさらに含む。
【００４４】
また、誘導管２２０の一側に形成されたオフセット制御部２４０は、オフセット選択部２４１を含み、オフセット選択部２４１の操作により、ガイド部２３３が、誘導管２２０に対して引き入れられたり引き出されたりしながら、オフセット部２３０と誘導管２２０との離隔距離が調節されるのである。図面には、オフセット選択部２４１が、ノブ形状で回転自在に形成され、オフセット選択部２４１の回転により、ガイド部２３３が、誘導管２２０に対して引き入れられたり引き出されたりするように図示されている。すなわち、オフセット選択部２４１の一側に、ラック及びピニオンのように、回転運動を直線運動に変換する動力伝達部材（図示せず）が具備され、オフセット選択部２４１が回転すれば、それをガイド部２３３の直線運動に変換することにより、ガイド部２３３が誘導管２２０に対して引き入れられたり引き出されたりする。ただし、本発明の思想は、それに制限されるものではなく、オフセット選択部２４１の操作を、ガイド部２３３の直線運動に変換することができる多様な構成要素が借用可能であろう。
【００４５】
一方、連結部２３１、ガイド部２３３、第１リンク２３４及び舌状部ベース２３２は、４節リンクをなすようにも形成される。すなわち、ガイド部２３３が、誘導管２２０から引き出されれば、４節リンク部が、全体的に時計回り方向に回転し、オフセット部２３０と誘導管２２０との離隔距離がｄ１にもなる。一方、ガイド部２３３が、誘導管２２０内に引き入れられれば、４節リンク部が、全体的に反時計回り方向に回転し、オフセット部２３０と誘導管２２０との離隔距離がｄ２にもなる。
【００４６】
このとき、オフセット部２３０と誘導管２２０との離隔距離は、８ｍｍ以上１５ｍｍ以下の範囲内で調節可能になるように形成され、大腿トンネル誘導機２００が、硬骨トンネル３１１（図２）を介して大腿骨３２０（図２）に挿入された状態で、誘導管２２０を貫通した誘導ピン（図示せず）が、前方十字靭帯の解剖学的位置に位置するように形成されることを特徴とする。
【００４７】
そのような本発明の実施形態についての大腿トンネル誘導機により、経硬骨方法を利用した前方十字靭帯の解剖学的再建が容易になり、特に、オフセット部２３０と誘導管２２０との離隔距離を調節することができるようになり、患者別に、さらに正確な解剖学的位置に、大腿トンネルを形成するように、手術の視野で、オフセット調整を可能ならしめることにより、治療効果が顕著に向上する効果を得ることができる。
【００４８】
そのように、本発明は、図面に図示された一実施形態を参照して説明したが、それらは、例示的なものに過ぎず、当該分野において当業者であるならば、それらから多様な変形、及び実施形態の変形が可能であるという点を理解するであろう。従って、本発明の真の技術的保護範囲は、特許請求の範囲の技術的思想によって決められるものである。
【産業上の利用可能性】
【００４９】
本発明の実施形態は、大腿トンネル誘導機に係り、さらに詳細には、前方十字靭帯再建術に使用される大腿トンネル形成のための大腿トンネル誘導機に利用される。
【図１】
2019530515.tif 000003
【図２】
2019530515.tif 000004
【図３】
2019530515.tif 000005
【図４】
2019530515.tif 000006
【図５】
2019530515.tif 000007
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
取っ手と、
前記取っ手と結合し、一方向に延設される誘導管と、
前記誘導管の一端部に形成され、前記一方向において、前記誘導管の延長線上からの離隔距離が変更可能であるように形成されるオフセット部と、
前記オフセット部と連結され、前記オフセット部と前記誘導管との離隔距離を制御するオフセット制御部と、を含む大腿トンネル誘導機。
【請求項２】
前記オフセット部と前記誘導管との離隔距離は、８ｍｍ以上１５ｍｍ以下に制御されることを特徴とする請求項１に記載の大腿トンネル誘導機。
【請求項３】
前記大腿トンネル誘導機は、
前記大腿トンネル誘導機が、硬骨トンネルを介して大腿骨に挿入された状態で、前記誘導管を貫通した誘導ピンが、前方十字靭帯の解剖学的位置に位置するように形成されることを特徴とする請求項１または２に記載の大腿トンネル誘導機。
【請求項４】
前記大腿トンネル誘導機は、
前記大腿トンネル誘導機が、前記硬骨トンネルを通過した状態で、前記大腿トンネル誘導機を一定程度回転させることにより、前記誘導ピンが、前方十字靭帯の解剖学的位置に位置するように形成されることを特徴とする請求項３に記載の大腿トンネル誘導機。
【請求項５】
前記オフセット部は、
前記誘導管から延設された連結部と、
前記連結部の一端部に形成される舌状部ベースと、
前記誘導管に対して引き入れられたり引き出されたりするガイド部と、
前記舌状部ベースと前記ガイド部とを連結する１以上のリンクと、を含むことを特徴とする請求項１に記載の大腿トンネル誘導機。
【請求項６】
前記連結部、前記ガイド部、前記１以上のリンク、及び前記舌状部ベースは、４節リンクを形成することを特徴とする請求項５に記載の大腿トンネル誘導機。
【請求項７】
前記オフセット制御部を調節すれば、前記ガイド部が、前記誘導管に対して引き入れられたり引き出されたりしながら、前記誘導管と前記オフセット部との離隔距離が変更されることを特徴とする請求項５に記載の大腿トンネル誘導機。
【国際調査報告】
2019530515.tif 000008
2019530515.tif 000009
2019530515.tif 000010
2019530515.tif 000011
2019530515.tif 000012
2019530515.tif 000013